(57)【要約】【課題】羽毛布団等、比較的軽い布団を手軽に乾燥させることができる布団乾燥アタッチメントを提供すること。【解決手段】布団乾燥機Ｄの送風口Ｎに対し着脱可能に取り付けられる布団乾燥アタッチメント１において、第一シート部３と第二シート部４からなるアタッチメント体２と、このアタッチメント体２の一端側に設けられる接続口１１と、前記アタッチメント体２の他端側に設けられる噴出口１５と、前記接続口１１近傍に設けられる取付手段１２とを有し、前記噴出口１５の幅方向寸法５Ｗを、前記布団乾燥機Ｄの送風口Ｎの幅よりも大きく形成したことで、前記布団乾燥アタッチメント１を敷き布団やマットレスと羽毛布団のような比較的軽い掛け布団Ｃの間に挿入することで、敷き布団やマットレスと掛け布団Ｃとの間の広い範囲に気流Ｆを送ることができるので、手軽に布団を乾燥させることができる。【選択図】図２
2016101389.tif 000002
【特許請求の範囲】
【請求項１】
布団乾燥機の送風口に対し着脱可能に取り付けられる布団乾燥アタッチメントにおいて、
第一シート部と第二シート部からなるアタッチメント体と、このアタッチメント体の一端側に設けられる接続口と、前記アタッチメント体の他端側に設けられる噴出口と、前記接続口近傍に設けられる取付手段とを有し、
前記噴出口の幅方向寸法を、前記布団乾燥機の送風口の幅よりも大きく形成したことを特徴とする布団乾燥アタッチメント。
【請求項２】
複数の噴出小口を前記アタッチメント体の幅方向に並べて、前記噴出口を形成したことを特徴とする請求項１記載の布団乾燥アタッチメント。
【請求項３】
前記アタッチメント体の中央部に、前記第一シート部と第二シート部とを固着する固着部を設けたことを特徴とする請求項１又は２記載の布団乾燥アタッチメント。
【請求項４】
前記固着部が左右一対設けられ、これら一対の固着部の間隔が、前記送風口の外周寸法の半分よりも小さいことを特徴とする請求項３記載の布団乾燥アタッチメント。
【請求項５】
前記固着部から前記アタッチメント体の送風領域における側端までの距離が、前記送風口の外周寸法の半分よりも小さいことを特徴とする請求項３又は４記載の布団乾燥アタッチメント。
【請求項６】
前記アタッチメント体を、一端側よりも他端側の幅が広い台形状に形成したことを特徴とする請求項１記載の布団乾燥アタッチメント。
【発明の詳細な説明】
【技術分野】
【０００１】
本発明は、羽布団等、比較的軽い布団の乾燥に用いられる布団乾燥アタッチメントに関するものである。
【背景技術】
【０００２】
従来、この種の布団乾燥アタッチメントとしては、ふとん乾燥機のホースに接続される袋状のエアマットが知られている（例えば、特許文献１参照。）。このエアマットは、敷き布団と掛け布団の間、又は敷き布団とシーツの間に敷いて用いられる。また、シートと連結筒体からなり、この連結筒体を温風吹出ノズルに連結する乾燥用シートも知られている（例えば、特許文献２参照。）。この乾燥用シートは、敷き布団を包み込むようにシートを敷き、このシートの上から掛け布団を敷いた状態で用いられる。
【先行技術文献】
【特許文献】
【０００３】
【特許文献１】特開２０１２−２４１３９号公報
【特許文献２】実用新案登録第２５６６１９３号公報
【発明の概要】
【発明が解決しようとする課題】
【０００４】
しかしながら、このような布団乾燥アタッチメントは、掛け布団と敷き布団の間に敷かなければならず、手軽に布団の乾燥を行えるものではなかった。
【０００５】
一方、今日では、比較的軽い羽毛布団が一般的になっている。綿布団のような比較的重い布団を乾燥させる場合には、従来通りエアマットや乾燥シートを用いざるを得ないが、比較的軽い羽毛布団を乾燥させる場合に、より手軽に使うことができる布団乾燥アタッチメントが求められていた。
【０００６】
本発明は以上の問題点を解決し、羽毛布団等、比較的軽い布団を手軽に乾燥させることができる布団乾燥アタッチメントを提供することを目的とする。
【課題を解決するための手段】
【０００７】
本発明の請求項１に記載の布団乾燥アタッチメントは、布団乾燥機の送風口に対し着脱可能に取り付けられる布団乾燥アタッチメントにおいて、第一シート部と第二シート部からなるアタッチメント体と、このアタッチメント体の一端側に設けられる接続口と、前記アタッチメント体の他端側に設けられる噴出口と、前記接続口近傍に設けられる取付手段とを有し、前記噴出口の幅方向寸法を、前記布団乾燥機の送風口の幅よりも大きく形成したものである。
【０００８】
また、本発明の請求項２に記載の布団乾燥アタッチメントは、請求項１において、複数の噴出小口を前記アタッチメント体の幅方向に並べて、前記噴出口を形成したものである。
【０００９】
また、本発明の請求項３に記載の布団乾燥アタッチメントは、請求項１又は２において、前記アタッチメント体の中央部に、前記第一シート部と第二シート部とを固着する固着部を設けたものである。
【００１０】
また、本発明の請求項４に記載の布団乾燥アタッチメントは、請求項３において、前記固着部が左右一対設けられ、これら一対の固着部の間隔が、前記送風口の外周寸法の半分よりも小さいものである。
【００１１】
また、本発明の請求項５に記載の布団乾燥アタッチメントは、請求項３又は４において、前記固着部から前記アタッチメント体の送風領域における側端までの距離が、前記送風口の外周寸法の半分よりも小さいものである。
【００１２】
更に、本発明の請求項６に記載の布団乾燥アタッチメントは、請求項１において、前記アタッチメント体を、一端側よりも他端側の幅が広い台形状に形成したものである。
【発明の効果】
【００１３】
本発明の請求項１に記載の布団乾燥アタッチメントは、以上のように構成することにより、布団乾燥機の送風口に布団乾燥アタッチメントを取り付け、この布団乾燥アタッチメントを敷き布団やマットレスと掛け布団の間に挿入することで、掛け布団が羽毛布団のような比較的軽いものであれば、敷き布団やマットレスと掛け布団との間の広い範囲に気流を送ることができる。また、前記布団乾燥アタッチメントの噴出口の幅方向寸法が、前記布団乾燥機の送風口の幅よりも大きいので、布団の幅方向の広い範囲に気流を送ることができる。これによって、手軽に布団を乾燥させることができる。
【００１４】
なお、複数の噴出小口を前記アタッチメント体の幅方向に並べて、前記噴出口を形成したことで、噴出口の開口面積を小さくして、気流を勢いよく噴出させ、布団間の奥まで気流を送ることができると共に、幅方向の広い範囲に気流を送ることができる。
【００１５】
また、前記アタッチメント体の中央部に、前記第一シート部と第二シート部とを固着する固着部を設けたことで、前記第一シート部と第二シート部の広がりを抑え、これによって、噴出口の折れ曲がりを抑え、気流を布団間の奥まで確実に送ることができる。
【００１６】
また、前記固着部を左右一対設け、これら一対の固着部の間隔を、前記送風口の外周寸法の半分よりも小さくしたことで、前記送風口の先端が前記固着部よりも奥に入り込まないので、前記送風口から放出された気流が、限られた前記噴出小口から直接噴出されるようなことがなく、全ての噴出小口から噴出されるので、敷き布団やマットレスと掛け布団との間の広い範囲に気流を確実に送って、布団を乾燥させることができる。
【００１７】
また、前記固着部から前記アタッチメント体の送風領域における側端までの距離を、前記送風口の外周寸法の半分よりも小さくしたことで、前記送風口の先端が前記固着部よりも奥に入り込まないので、前記送風口から放出された気流が、限られた前記噴出小口から直接噴出されるようなことがなく、全ての噴出小口から噴出されるので、敷き布団やマットレスと掛け布団との間の広い範囲に気流を確実に送って、布団を乾燥させることができる。
【００１８】
更に、前記アタッチメント体を、一端側よりも他端側の幅が広い台形状に形成したことで、前記送風口から放出された気流が広がるようにして、敷き布団やマットレスと掛け布団との間の広い範囲に気流を確実に送って、布団を乾燥させることができる。
【図面の簡単な説明】
【００１９】
【図１】本発明の第一の実施形態を示す布団乾燥アタッチメントの平面図である。
【図２】同、底面図である。
【図３】同、接続口側から見た斜視図である。
【図４】同、噴出口側から見た斜視図である。
【図５】同、本発明の布団乾燥アタッチメントが取り付けられる布団乾燥機の斜視図である。
【図６】同、送風口への取り付けを底面側から見た説明図であり、取り付け前の状態を示すものである。
【図７】同、送風口への取り付けを底面側から見た説明図であり、送風口が差し込まれた状態を示すものである。
【図８】同、送風口への取り付けを底面側から見た説明図であり、送風口に対し完全に取り付けられた状態を示すものである。
【図９】同、使用状態を示す説明図である。
【図１０】同、端面図であり、（ａ）はＡ−Ａ端面図、（ｂ）は噴出口側の端部における端面図である。
【図１１】同、使用状態を示す写真である。
【図１２】固着部を除いた比較例における使用状態を示す写真である。
【図１３】固着部を除いた比較例における使用状態を示す、他の方向から見た写真である。
【図１４】噴出口側の縫合部を除いた比較例における使用状態を示す写真である。
【図１５】本発明の第二の実施形態を示す布団乾燥アタッチメントの斜視図である。
【図１６】本発明の第三の実施形態を示す布団乾燥アタッチメントの斜視図である。
【発明を実施するための形態】
【００２０】
以下、本発明の実施形態について、図１乃至図１１に基づいて説明する。なお、図５におけるＤは公知の布団乾燥機であり、送風口Ｎを有するホースＨ、スイッチＳ、及び電源コードＰを有する。
【００２１】
１は本発明の布団乾燥アタッチメントである。この布団乾燥アタッチメント１は、前記布団乾燥機ＤのホースＨの送風口Ｎに対し、着脱可能に取り付けられる。前記布団乾燥アタッチメント１は、アタッチメント体２を有する。そして、このアタッチメント体２は、第一シート部３と第二シート部４からなる。これらの第一シート部３と第二シート部４は、可撓性を有し、折り畳みが可能な程度に柔軟な材質からなる。本例では、前記第一シート部３及び第二シート部４は、それぞれナイロン等の合成繊維を平織りして作られた、平らな織布からなる。このように、前記第一シート部３と第二シート部４に平らな織布を用いることで、前記アタッチメント体２を安価に製造することができる。なお、前記第一シート部３と第二シート部４は同じ形状であり、それぞれ等脚台形に形成される。そして、前記第一シート部３と第二シート部４における他端側の底（てい）となる辺の幅方向寸法は、一端側の底となる辺の幅方向寸法よりも大きい。そして、前記アタッチメント体２は、前記第一シート部３と第二シート部４を重ねた状態で、それぞれの台形の脚（きゃく）となる辺、及び一端側の幅狭な底となる辺の両端部を縫合することで構成される。なお、５〜１０は、それぞれ前記第一シート部３と第二シート部４とを縫合した縫合部である。即ち、前記アタッチメント体２は、その一端側と他端側が開口する。そして、前記アタッチメント体２の幅狭な一端側には、前記縫合部９，１０間に、接続口１１が形成される。なお、この接続口１１の幅寸法Ｘは、前記送風口Ｎの外周寸法の半分よりも大きく形成される。
【００２２】
更に、前記接続口１１の近傍には、取付手段１２が設けられる。この取付手段１２は、面ファスナーにより構成される。即ち、前記取付手段１２は、前記第二シート部４の一端側の縫合部７，９側に全体が縫着されるフック面部１３と、前記第二シート部４の一端側の縫合部８，１０側に端部が縫着される帯状のループ面部１４とを有して構成される。
【００２３】
一方、前記アタッチメント体２の他端側の幅広な底となる辺には、噴出口１５が設けられる。この噴出口１５は、前記第一シート部３と第二シート部４の他端側の辺を、間隔Ｗ毎に４箇所設けられた縫合部１６において縫合することで、複数の噴出小口１７を前記アタッチメント体２の幅方向に並べて形成される。なお、前記縫合部１６の長さは、織布である前記第一シート部３と第二シート部４の端部処理のために設けられた折り返し部１８の幅と同程度に設定される。前記噴出小口１７を形成する前記縫合部１６の長さが長すぎると、前記噴出口１５が折れ曲がり易くなる。一方、前記縫合部１６の長さが短すぎると、前記噴出口１５が折れ曲がりにくくなるものの、強度上問題がある。また、前記噴出口１５の幅方向寸法５Ｗは、前記送風口Ｎの幅よりも大きく形成される。
【００２４】
また、前記アタッチメント体２の中央部には、一対の固着部１９，２０が幅方向に並べて設けられる。そして、これらの固着部１９，２０により、前記第一シート部３と第二シート部４とが縫合される。なお、前記固着部１９と２０との間隔Ｙは、前記送風口Ｎの外周寸法の半分よりも小さく形成される。また、前記固着部１９から前記縫合部５（即ち、送風領域における側端）迄の距離Ｚ１、及び前記固着部２０から前記縫合部６（即ち、送風領域における側端）迄の距離Ｚ２も、前記送風口Ｎの外周寸法の半分よりも小さく形成される。即ち、前記第一シート部３と第二シート部４を合わせて、２Ｙ，２Ｚ１，２Ｚ２は、それぞれ前記送風口Ｎの外周寸法よりも小さい。
【００２５】
次に、前記布団乾燥アタッチメント１の前記送風口Ｎへの取り付けについて説明する。まず、使用者は、前記布団乾燥機Ｄから前記ホースＨを引き出し、適当な長さに伸ばしたり適当な方向に曲げたりする。そして、前記ホースＨ先端の送風口Ｎを、前記布団乾燥アタッチメント１の接続口１１に差し込む。この際、前述したように、２Ｙ，２Ｚ１，２Ｚ２が、それぞれ前記送風口Ｎの外周寸法の半分よりも小さいことで、前記送風口Ｎが前記固着部１９，２０よりも奥まで入り込むことがない。更に、前記取付手段１２の帯状のループ面部１４を引っ張って、前記接続口１１を絞り、前記フック面部１３に押し付けて貼り付ける。これによって、前記布団乾燥アタッチメント１が前記送風口Ｎに取り付けられる。この際、前記布団乾燥アタッチメント１は、前記接続口１１における第二シート部４側が縮まることにより、前記送風口Ｎの中心よりも前記第二シート部４側に偏る。
【００２６】
次に、本実施形態の作用について説明する。まず使用者は、前記送風口Ｎに取り付けられた前記布団乾燥アタッチメント１を、図示しない敷き布団又はマットレスと掛け布団Ｃとの間に挿入する。この際、前記第一シート部３側と第二シート部４側のどちらを上にしてもよい。本例では、前記布団乾燥アタッチメント１が前記送風口Ｎの中心よりも前記第二シート部４側に偏るため、前記第二シート部４側を下にした方が座りがよいので、前記第二シート部４側を下にした。また、この場合の掛け布団Ｃは、羽毛布団等の比較的軽いものである。そして、前記電源コードＰを図示しない交流電源に接続し、前記スイッチＳを操作することで、前記ホースＨを経て前記送風口Ｎから前記布団乾燥アタッチメント１に気流Ｆが送られる。この気流Ｆは、温風であっても冷風であってもよい。
【００２７】
前記気流Ｆが前記布団乾燥アタッチメント１に送られると、この布団乾燥アタッチメント１は膨らむ。これは、前述した通り、前記噴出口１５が前記縫合部１６によって、幅方向に並んだ複数の前記噴出小口１７とされており、これによって、前記噴出口１５の最大開口面積が制限されるので、前記布団乾燥アタッチメント１内の圧力が高くなるためである。なお、前記布団乾燥アタッチメント１の膨らみは、前記固着部１９，２０によって制限される。前述したように、前記各シート部３，４が平らな織布であるため、前記布団乾燥アタッチメント１が膨らむと前記各シート部３，４に歪みが生じ、前記噴出小口１７が開くのが妨げられる虞がある。しかしながら、前記固着部１９，２０によって前記布団乾燥アタッチメント１の膨らみが制限されるので、前記各シート部３，４の歪みが前記噴出小口１７付近に集中せず、これらの噴出小口１７が開くのを妨げないようにすることができる。また、前記送風口Ｎが前記布団乾燥アタッチメント１の奥まで差し込まれると、前記送風口Ｎから送られた気流Ｆは、その殆どが特定の前記噴出小口１７から噴出され、その他の前記噴出小口１７からは殆ど噴出されない。しかしながら、前述したように、前記送風口Ｎが前記固着部１９，２０よりも奥まで差し込まれないことで、気流Ｆが全ての前記噴出小口１７から噴出される。更に、前記噴出口１５を複数の前記噴出小口１７としたことで、開口面積を制限したので、前記噴出口１５から噴出される気流Ｆの圧力及び風速を高め、敷き布団やマットレスと掛け布団Ｃとの間の奥まで気流Ｆを送ることができる。そして、このように、敷き布団やマットレスと掛け布団Ｃとの間の奥まで気流Ｆを送ることで、羽毛布団等の比較的軽い掛け布団Ｃであれば、従来のようにエアマットや乾燥用シートを用いることなく、手軽に布団を乾燥させることができる。更に、前記噴出口１５の幅方向寸法５Ｗを、前記布団乾燥機Ｄの送風口Ｎの幅よりも大きくしたことで、布団の幅方向の広い範囲に気流Ｆを送ることができる。
【００２８】
本発明の実施形態と比較例を、図１１乃至図１４を用いて比較する。図１１は本実施形態の使用状態を示す写真である。この図に示されるように、前記送風口Ｎから気流Ｆが前記布団乾燥アタッチメント１に送られると、この布団乾燥アタッチメント１は膨らむ。しかしながら、前記固着部１９，２０によって前記布団乾燥アタッチメント１の膨らみが制限されるので、前記各シート部３，４の歪みが前記噴出小口１７付近に集中せず、前記布団乾燥アタッチメント１全体に分散する。このため、前記噴出口１５の噴出小口１７が開くことが妨げられにくい。実際、図１１に示すように、噴出小口１７のうち、中央の噴出小口１７が最も開いているものの、両端の噴出小口１７も開いている。
【００２９】
これに対し、図１２及び図１３は、第一の比較例であり、前記固着部１９，２０を有さない構造である。この構造の布団乾燥アタッチメントを前記送風口Ｎに接続し、この送風口Ｎから気流Ｆが前記布団乾燥アタッチメントに送られると、この布団乾燥アタッチメントは膨らむ。そして、この場合、前記布団乾燥アタッチメントが最大限に膨らむことで、この布団乾燥アタッチメントを構成する各シート部に歪みが生じ、これらのシート部の歪みが噴出小口付近に集中することで、これらの噴出小口が開くのが妨げられる。図１２及び図１３では、折り返し部全体が上方に折れることで、噴出小口が開くことが妨げられている。この結果、第一の比較例では、敷き布団又はマットレスと掛け布団Ｃとの間の奥まで気流Ｆを送ることができず、敷き布団又はマットレスと掛け布団Ｃを良好に乾燥させることができない。
【００３０】
なお、布団乾燥アタッチメントが膨らんだ際に、前記噴出小口に歪みが集中しないように、前記各シート部を予め曲面状のシートによって構成すれば、中央の固着部を設けなくても、前記噴出小口が折れ曲がらず、充分に開口させることができる。或いは、シート自体が平面状であっても、立体縫製することで、布団乾燥アタッチメントが膨らんだ際に、前記噴出小口に歪みが生じないようにすれば、中央の固着部を設けなくても、前記噴出小口が折れ曲がらず、充分に開口させることができる。
【００３１】
また、図１４は、第二の比較例であり、前記縫合部１８を有さない構造である。この構造の布団乾燥アタッチメントを前記送風口Ｎに接続し、この送風口Ｎから気流Ｆが前記布団乾燥アタッチメントに送られると、この布団乾燥アタッチメントは膨らむことなく、前記送風口Ｎから放出された気流Ｆが、そのまま敷き布団又はマットレスと掛け布団Ｃとの間に送られることになる。即ち、この場合、前記布団乾燥アタッチメントを装着していないのと同様になる。
【００３２】
以上のように、本発明は、布団乾燥機Ｄの送風口Ｎに対し着脱可能に取り付けられる布団乾燥アタッチメント１において、第一シート部３と第二シート部４からなるアタッチメント体２と、このアタッチメント体２の一端側に設けられる接続口１１と、前記アタッチメント体２の他端側に設けられる噴出口１５と、前記接続口１１近傍に設けられる取付手段１２とを有し、前記噴出口１５の幅方向寸法５Ｗを、前記布団乾燥機Ｄの送風口Ｎの幅よりも大きく形成したことで、前記布団乾燥アタッチメント１を敷き布団やマットレスと羽毛布団のような比較的軽い掛け布団Ｃの間に挿入することで、敷き布団やマットレスと掛け布団Ｃとの間の広い範囲に気流Ｆを送ることができるので、手軽に布団を乾燥させることができるものである。
【００３３】
また、本発明は、複数の噴出小口１７を前記アタッチメント体２の幅方向に並べて、前記噴出口１５を形成したことで、この噴出口１５の開口面積を小さくして、気流Ｆを勢いよく噴出させ、布団間の奥まで気流Ｆを送ることができると共に、幅方向の広い範囲に気流Ｆを送ることができるものである。
【００３４】
また、本発明は、前記アタッチメント体２の中央部に、前記第一シート部３と第二シート部４とを固着する固着部１９，２０を設けたことで、前記第一シート部３と第二シート部４の広がりを抑え、これによって、前記噴出口１５の折れ曲がりを抑え、気流Ｆを布団間の奥まで確実に送ることができるものである。
【００３５】
また、本発明は、前記固着部１９，２０を左右一対設け、これら一対の固着部１９，２０の間隔Ｙを、前記送風口Ｎの外周寸法の半分よりも小さくしたことで、前記送風口Ｎの先端が前記固着部１９，２０よりも奥に入り込まないので、前記送風口Ｎから放出された気流Ｆが、限られた前記噴出小口１７から直接噴出されるようなことがなく、全ての噴出小口１７から噴出されるので、敷き布団やマットレスと掛け布団Ｃとの間の広い範囲に気流Ｆを確実に送って、布団を乾燥させることができるものである。
【００３６】
また、本発明は、前記固着部１９，２０から前記アタッチメント体２の送風領域における側端である縫合部５，６までの距離Ｚ１，Ｚ２を、前記送風口Ｎの外周寸法の半分よりも小さくしたことで、前記送風口Ｎの先端が前記固着部１９，２０よりも奥に入り込まないので、前記送風口Ｎから放出された気流Ｆが、限られた前記噴出小口１７から直接噴出されるようなことがなく、全ての噴出小口１７から噴出されるので、敷き布団やマットレスと掛け布団Ｃとの間の広い範囲に気流Ｆを確実に送って、布団を乾燥させることができるものである。
【００３７】
更に、本発明は、前記アタッチメント体２を、一端側よりも他端側の幅が広い台形状に形成したことで、前記送風口Ｎから放出された気流Ｆが広がるようにして、敷き布団やマットレスと掛け布団Ｃとの間の広い範囲に気流Ｆを確実に送って、布団を乾燥させることができるものである。
【００３８】
次に、本発明の第二の実施形態について、図１５に基づいて説明する。２１は本発明の布団乾燥アタッチメントである。この布団乾燥アタッチメント２１は、前記布団乾燥機ＤのホースＨの送風口Ｎに対し、着脱可能に取り付けられる。前記布団乾燥アタッチメント２１は、アタッチメント体２２を有する。そして、このアタッチメント体２２は、第一シート部３と第二シート部４からなる。これらの第一シート部３と第二シート部４は、可撓性を有し、折り畳みが可能な程度に柔軟な材質からなる。本例では、前記第一シート部３及び第二シート部４は、それぞれナイロン等の合成繊維を平織りして作られた、平らな織布からなる。このように、前記第一シート部３と第二シート部４に平らな織布を用いることで、前記アタッチメント体２２を安価に製造することができる。なお、前記第一シート部３と第二シート部４は同じ形状であり、それぞれ等脚台形に形成される。そして、前記第一シート部３と第二シート部４における他端側の底（てい）となる辺の幅方向寸法は、一端側の底となる辺の幅方向寸法よりも大きい。そして、前記アタッチメント体２２は、前記第一シート部３と第二シート部４を重ねた状態で、それぞれの台形の脚（きゃく）となる辺、及び一端側の幅狭な底となる辺の両端部を縫合することで構成される。なお、５〜１０は、それぞれ前記第一シート部３と第二シート部４とを縫合した縫合部である。即ち、前記アタッチメント体２２は、その一端側と他端側が開口する。そして、前記アタッチメント体２２の幅狭な一端側には、前記縫合部９，１０間に、接続口１１が形成される。なお、この接続口１１の幅寸法は、前記送風口Ｎの外周寸法の半分よりも大きく形成される。
【００３９】
更に、前記接続口１１の近傍には、取付手段１２が設けられる。この取付手段１２は、面ファスナーにより構成される。即ち、前記取付手段１２は、前記第二シート部４の一端側の縫合部７，９側に全体が縫着されるフック面部１３と、前記第二シート部４の一端側の縫合部８，１０側に端部が縫着される帯状のループ面部１４とを有して構成される。
【００４０】
一方、前記アタッチメント体２２の他端側の幅広な底となる辺には、噴出口２５が設けられる。この噴出口２５は、前記第一シート部３と第二シート部４の他端側の辺を縫合部２６において縫合することで、複数の噴出小口２７，２８，２９を前記アタッチメント体２２の幅方向に並べて形成される。なお、中央に設けられた噴出小口２７の幅Ｗ１と、その両側に設けられた噴出小口２８の幅Ｗ２と、両端に設けられた噴出小口２９の幅Ｗ３は、それぞれ異なる。本例では、Ｗ１＜Ｗ２＜Ｗ３である。なお、前記縫合部２６の長さは、織布である前記第一シート部３と第二シート部４の端部処理のために設けられた折り返し部１８の幅と同程度に設定される。前記噴出小口２７，２８，２９を形成する前記縫合部２６の長さが長すぎると、前記噴出口２５が折れ曲がり易くなる。一方、前記縫合部２６の長さが短すぎると、前記噴出口２５が折れ曲がりにくくなるものの、強度上問題がある。また、前記噴出口２５の幅方向寸法Ｗ１＋２Ｗ２＋２Ｗ３は、前記送風口Ｎの幅よりも大きく形成される。
【００４１】
また、前記アタッチメント体２２の中央部には、一対の固着部１９，２０が幅方向に並べて設けられる。そして、これらの固着部１９，２０により、前記第一シート部３と第二シート部４とが縫合される。なお、前記固着部１９と２０との間隔は、前記送風口Ｎの外周寸法の半分よりも小さく形成される。また、前記固着部１９から前記縫合部５（即ち、送風領域における側端）迄の距離、及び前記固着部２０から前記縫合部６（即ち、送風領域における側端）迄の距離も、前記送風口Ｎの外周寸法の半分よりも小さく形成される。
【００４２】
次に、前記布団乾燥アタッチメント２１の前記送風口Ｎへの取り付けについて説明する。まず、使用者は、前記布団乾燥機Ｄから前記ホースＨを引き出し、適当な長さに伸ばしたり適当な方向に曲げたりする。そして、前記ホースＨ先端の送風口Ｎを、前記布団乾燥アタッチメント２１の接続口１１に差し込む。この際、前記送風口Ｎが前記固着部１９，２０よりも奥まで入り込むことがない。更に、前記取付手段１２の帯状のループ面部１４を引っ張って、前記接続口１１を絞り、前記フック面部１３に押し付けて貼り付ける。これによって、前記布団乾燥アタッチメント２１が前記送風口Ｎに取り付けられる。この際、前記布団乾燥アタッチメント２１は、前記接続口１１における第二シート部４側が縮まることにより、前記送風口Ｎの中心よりも前記第二シート部４側に偏る。
【００４３】
次に、本実施形態の作用について説明する。まず使用者は、前記送風口Ｎに取り付けられた前記布団乾燥アタッチメント２１を、図示しない敷き布団又はマットレスと掛け布団Ｃとの間に挿入する。この際、前記第一シート部３側と第二シート部４側のどちらを上にしてもよい。また、この場合の掛け布団Ｃは、羽毛布団等の比較的軽いものである。そして、前記電源コードＰを図示しない交流電源に接続し、前記スイッチＳを操作することで、前記ホースＨを経て前記送風口Ｎから前記布団乾燥アタッチメント２１に気流Ｆが送られる。この気流Ｆは、温風であっても冷風であってもよい。
【００４４】
前記気流Ｆが前記布団乾燥アタッチメント２１に送られると、この布団乾燥アタッチメント２１は膨らむ。これは、前述した通り、前記噴出口２５が前記縫合部２６によって、幅方向に並んだ複数の前記噴出小口２７，２８，２９とされており、これによって、前記噴出口２５の最大開口面積が制限されるので、前記布団乾燥アタッチメント２１内の圧力が高くなるためである。なお、前記布団乾燥アタッチメント２１の膨らみは、前記固着部１９，２０によって制限される。前述したように、前記各シート部３，４が平らな織布であるため、前記布団乾燥アタッチメント２１が膨らむと前記各シート部３，４に歪みが生じ、前記噴出小口２７，２８，２９が開くのが妨げられる虞がある。しかしながら、前記固着部１９，２０によって前記布団乾燥アタッチメント２１の膨らみが制限されるので、前記各シート部３，４の歪みが前記噴出小口２７，２８，２９付近に集中せず、これらの噴出小口２７，２８，２９が開くのを妨げないようにすることができる。また、前記送風口Ｎが前記布団乾燥アタッチメント２１の奥まで差し込まれると、前記送風口Ｎから送られた気流Ｆは、その殆どが前記噴出小口２７，２８から噴出され、前記噴出小口２９からは殆ど噴出されない。しかしながら、前述したように、前記送風口Ｎが前記固着部１９，２０よりも奥まで差し込まれないことで、気流Ｆが全ての前記噴出小口２７，２８，２９から噴出される。更に、前記噴出口２５を複数の前記噴出小口２７，２８，２９としたことで、開口面積を制限したので、前記噴出口２５から噴出される気流Ｆの圧力及び風速を高め、敷き布団やマットレスと掛け布団Ｃとの間の奥まで気流Ｆを送ることができる。そして、このように、敷き布団やマットレスと掛け布団Ｃとの間の奥まで気流Ｆを送ることで、羽毛布団等の比較的軽い掛け布団Ｃであれば、従来のようにエアマットや乾燥用シートを用いることなく、手軽に布団を乾燥させることができる。また、前記噴出口２５の幅方向寸法Ｗ１＋２Ｗ２＋２Ｗ３を、前記布団乾燥機Ｄの送風口Ｎの幅よりも大きくしたことで、布団の幅方向の広い範囲に気流Ｆを送ることができる。更に、中央の噴出小口２７の幅Ｗ１を小さく、その左右両側の噴出小口２８の幅Ｗ２を中程度に、左右両端の噴出小口２９の幅Ｗ３を大きくした（Ｗ１＜Ｗ２＜Ｗ３）ことで、各噴出小口２７，２８，２９から噴出される気流Ｆの均一化を図り、敷き布団やマットレスと掛け布団Ｃをより良好に乾燥させることができる。
【００４５】
以上のように、本発明は、布団乾燥機Ｄの送風口Ｎに対し着脱可能に取り付けられる布団乾燥アタッチメント２１において、第一シート部３と第二シート部４からなるアタッチメント体２２と、このアタッチメント体２２の一端側に設けられる接続口１１と、前記アタッチメント体２２の他端側に設けられる噴出口２５と、前記接続口１１近傍に設けられる取付手段１２とを有し、前記噴出口２５の幅方向寸法Ｗ１＋２Ｗ２＋２Ｗ３を、前記布団乾燥機Ｄの送風口Ｎの幅よりも大きく形成したことで、前記布団乾燥アタッチメント２１を敷き布団やマットレスと羽毛布団のような比較的軽い掛け布団Ｃの間に挿入することで、敷き布団やマットレスと掛け布団Ｃとの間の広い範囲に気流Ｆを送ることができるので、手軽に布団を乾燥させることができるものである。
【００４６】
また、本発明は、複数の噴出小口２７，２８，２９を前記アタッチメント体２２の幅方向に並べて、前記噴出口２５を形成したことで、この噴出口２５の開口面積を小さくして、気流Ｆを勢いよく噴出させ、布団間の奥まで気流Ｆを送ることができると共に、幅方向の広い範囲に気流Ｆを送ることができるものである。
【００４７】
また、本発明は、前記アタッチメント体２２の中央部に、前記第一シート部３と第二シート部４とを固着する固着部１９，２０を設けたことで、前記第一シート部３と第二シート部４の広がりを抑え、これによって、前記噴出口２５の折れ曲がりを抑え、気流Ｆを布団間の奥まで確実に送ることができるものである。
【００４８】
また、本発明は、前記固着部１９，２０を左右一対設け、これら一対の固着部１９，２０の間隔を、前記送風口Ｎの外周寸法の半分よりも小さくしたことで、前記送風口Ｎの先端が前記固着部１９，２０よりも奥に入り込まないので、前記送風口Ｎから放出された気流Ｆが、中央の前記噴出小口２７及びそれに隣接する噴出小口２８から直接噴出されるようなことがなく、全ての噴出小口２７，２８，２９から噴出されるので、敷き布団やマットレスと掛け布団Ｃとの間の広い範囲に気流Ｆを確実に送って、布団を乾燥させることができるものである。
【００４９】
また、本発明は、前記固着部１９，２０から前記アタッチメント体２２の送風領域における側端である縫合部５，６までの距離を、前記送風口Ｎの外周寸法の半分よりも小さくしたことで、前記送風口Ｎの先端が前記固着部１９，２０よりも奥に入り込まないので、前記送風口Ｎから放出された気流Ｆが、端部の前記噴出小口２９及びそれに隣接する前記噴出小口２８から直接噴出されるようなことがなく、全ての噴出小口２７，２８，２９から噴出されるので、敷き布団やマットレスと掛け布団Ｃとの間の広い範囲に気流Ｆを確実に送って、布団を乾燥させることができるものである。
【００５０】
更に、本発明は、前記アタッチメント体２２を、一端側よりも他端側の幅が広い台形状に形成したことで、前記送風口Ｎから放出された気流Ｆが広がるようにして、敷き布団やマットレスと掛け布団Ｃとの間の広い範囲に気流Ｆを確実に送って、布団を乾燥させることができるものである。
【００５１】
次に、本発明の第三の実施形態について、図１６に基づいて説明する。３１は本発明の布団乾燥アタッチメントである。この布団乾燥アタッチメント３１は、前記布団乾燥機ＤのホースＨの送風口Ｎに対し、着脱可能に取り付けられる。前記布団乾燥アタッチメント３１は、アタッチメント体３２を有する。そして、このアタッチメント体３２は、第一シート部３と第二シート部４からなる。これらの第一シート部３と第二シート部４は、可撓性を有し、折り畳みが可能な程度に柔軟な材質からなる。本例では、前記第一シート部３及び第二シート部４は、それぞれナイロン等の合成繊維を平織りして作られた、平らな織布からなる。このように、前記第一シート部３と第二シート部４に平らな織布を用いることで、前記アタッチメント体３２を安価に製造することができる。なお、前記第一シート部３と第二シート部４は同じ形状であり、それぞれ等脚台形に形成される。そして、前記第一シート部３と第二シート部４における他端側の底（てい）となる辺の幅方向寸法は、一端側の底となる辺の幅方向寸法よりも大きい。そして、前記アタッチメント体３２は、前記第一シート部３と第二シート部４を重ねた状態で、それぞれの台形の脚（きゃく）となる辺、及び一端側の幅狭な底となる辺の両端部を縫合することで構成される。なお、５〜１０は、それぞれ前記第一シート部３と第二シート部４とを縫合した縫合部である。即ち、前記アタッチメント体３２は、その一端側と他端側が開口する。そして、前記アタッチメント体３２の幅狭な一端側には、前記縫合部９，１０間に、接続口１１が形成される。なお、この接続口１１の幅寸法は、前記送風口Ｎの外周寸法の半分よりも大きく形成される。
【００５２】
更に、前記接続口１１の近傍には、取付手段１２が設けられる。この取付手段１２は、面ファスナーにより構成される。即ち、前記取付手段１２は、前記第二シート部４の一端側の縫合部７，９側に全体が縫着されるフック面部１３と、前記第二シート部４の一端側の縫合部８，１０側に端部が縫着される帯状のループ面部１４とを有して構成される。
【００５３】
一方、前記アタッチメント体３２の他端側の幅広な底となる辺には、噴出口１５が設けられる。この噴出口１５は、前記第一シート部３と第二シート部４の他端側の辺を、等間隔で４箇所設けられた縫合部１６において縫合することで、複数の噴出小口１７を前記アタッチメント体３２の幅方向に並べて形成される。なお、前記縫合部１６の長さは、織布である前記第一シート部３と第二シート部４の端部処理のために設けられた折り返し部１８の幅と同程度に設定される。前記噴出小口１７を形成する前記縫合部１６の長さが長すぎると、前記噴出口１５が折れ曲がり易くなる。一方、前記縫合部１６の長さが短すぎると、前記噴出口１５が折れ曲がりにくくなるものの、強度上問題がある。また、前記噴出口１５の幅方向寸法は、前記送風口Ｎの幅よりも大きく形成される。
【００５４】
また、前記アタッチメント体３２の中央部には、固着部３９が設けられる。そして、この固着部１９により、前記第一シート部３と第二シート部４とが縫合される。
【００５５】
次に、本実施形態の作用について説明する。まず使用者は、前記送風口Ｎに取り付けられた前記布団乾燥アタッチメント３１を、図示しない敷き布団又はマットレスと掛け布団Ｃとの間に挿入する。この際、前記第一シート部３側と第二シート部４側のどちらを上にしてもよい。また、この場合の掛け布団Ｃは、羽毛布団等の比較的軽いものである。そして、前記電源コードＰを図示しない交流電源に接続し、前記スイッチＳを操作することで、前記ホースＨを経て前記送風口Ｎから前記布団乾燥アタッチメント３１に気流Ｆが送られる。この気流Ｆは、温風であっても冷風であってもよい。
【００５６】
前記気流Ｆが前記布団乾燥アタッチメント３１に送られると、この布団乾燥アタッチメント３１は膨らむ。これは、前述した通り、前記噴出口１５が前記縫合部１６によって、幅方向に並んだ複数の前記噴出小口１７とされており、これによって、前記噴出口１５の最大開口面積が制限されるので、前記布団乾燥アタッチメント３１内の圧力が高くなるためである。なお、前記布団乾燥アタッチメント３１の膨らみは、前記固着部３９によって制限される。前述したように、前記各シート部３，４が平らな織布であるため、前記布団乾燥アタッチメント３１が膨らむと前記各シート部３，４に歪みが生じ、前記噴出小口１７が開くのが妨げられる虞がある。しかしながら、前記固着部３９によって前記布団乾燥アタッチメント３１の膨らみが制限されるので、前記各シート部３，４の歪みが前記噴出小口１７付近に集中せず、これらの噴出小口１７が開くのを妨げないようにすることができる。更に、前記噴出口１５を複数の前記噴出小口１７としたことで、開口面積を制限したので、前記噴出口１５から噴出される気流Ｆの圧力及び風速を高め、敷き布団やマットレスと掛け布団Ｃとの間の奥まで気流Ｆを送ることができる。そして、このように、敷き布団やマットレスと掛け布団Ｃとの間の奥まで気流Ｆを送ることで、羽毛布団等の比較的軽い掛け布団Ｃであれば、従来のようにエアマットや乾燥用シートを用いることなく、手軽に布団を乾燥させることができる。更に、前記噴出口１５の幅方向寸法を、前記布団乾燥機Ｄの送風口Ｎの幅よりも大きくしたことで、布団の幅方向の広い範囲に気流Ｆを送ることができる。
【００５７】
以上のように、本発明は、布団乾燥機Ｄの送風口Ｎに対し着脱可能に取り付けられる布団乾燥アタッチメント３１において、第一シート部３と第二シート部４からなるアタッチメント体３２と、このアタッチメント体３２の一端側に設けられる接続口１１と、前記アタッチメント体３２の他端側に設けられる噴出口１５と、前記接続口１１近傍に設けられる取付手段１２とを有し、前記噴出口１５の幅方向寸法を、前記布団乾燥機Ｄの送風口Ｎの幅よりも大きく形成したことで、前記布団乾燥アタッチメント３１を敷き布団やマットレスと羽毛布団のような比較的軽い掛け布団Ｃの間に挿入することで、敷き布団やマットレスと掛け布団Ｃとの間の広い範囲に気流Ｆを送ることができるので、手軽に布団を乾燥させることができるものである。
【００５８】
また、本発明は、複数の噴出小口１７を前記アタッチメント体３２の幅方向に並べて、前記噴出口１５を形成したことで、この噴出口１５の開口面積を小さくして、気流Ｆを勢いよく噴出させ、布団間の奥まで気流Ｆを送ることができると共に、幅方向の広い範囲に気流Ｆを送ることができるものである。
【００５９】
また、本発明は、前記アタッチメント体３２の中央部に、前記第一シート部３と第二シート部４とを固着する固着部３９を設けたことで、前記第一シート部３と第二シート部４の広がりを抑え、これによって、前記噴出口１５の折れ曲がりを抑え、気流Ｆを布団間の奥まで確実に送ることができるものである。
【００６０】
更に、本発明は、前記アタッチメント体３２を、一端側よりも他端側の幅が広い台形状に形成したことで、前記送風口Ｎから放出された気流Ｆが広がるようにして、敷き布団やマットレスと掛け布団Ｃとの間の広い範囲に気流Ｆを確実に送って、布団を乾燥させることができるものである。
【００６１】
なお、本発明は以上の実施形態に限定されず、発明の要旨の範囲内で種々の変形実施が可能である。例えば、上記各実施形態では、第一シート部及び第二シート部として、合成繊維の織布を用いたが、不織布や合成樹脂シート等を用いても良い。また、上記各実施形態では、噴出口は、アタッチメント体の他端側を複数箇所で縫合することで形成された複数の噴出小口により構成されるが、縫合でなく、例えば熔着等で結合しても良い。同様に、固着部も、縫合ではなく熔着によって結合しても良い。更に、上述した通り、第一シート部及び第２シート部を曲面状のシートによって構成しても良く、また、平面状のシートを立体縫製しても良い。
【符号の説明】
【００６２】
１，２１，３１  布団乾燥アタッチメント
２，２２，３２  アタッチメント体
３  第一シート部
４  第二シート部
１１  接続口
１２  取付手段
１５，２５  噴出口
１６，２６  縫合部
１７，２７，２８，２９  噴出小口
１９，２０，３９  固着部
Ｄ  布団乾燥機
Ｎ  送風口
Ｘ  接続口１１の幅寸法
Ｙ  固着部１９，２０の間隔
Ｚ１  固着部１９から縫合部５（送風領域における側端）迄の距離
Ｚ２  固着部２０から縫合部６（送風領域における側端）迄の距離
Ｃ  掛け布団
Ｆ  気流
【図１】
2016101389.tif 000003
【図２】
2016101389.tif 000004
【図３】
2016101389.tif 000005
【図４】
2016101389.tif 000006
【図５】
2016101389.tif 000007
【図６】
2016101389.tif 000008
【図７】
2016101389.tif 000009
【図８】
2016101389.tif 000010
【図９】
2016101389.tif 000011
【図１０】
2016101389.tif 000012
【図１５】
2016101389.tif 000013
【図１６】
2016101389.tif 000014
【図１１】
2016101389.tif 000015
【図１２】
2016101389.tif 000016
【図１３】
2016101389.tif 000017
【図１４】
2016101389.tif 000018